(57)【要約】【課題】被写体を定めて撮影ボタンを押すまでの撮影動作を片手で行う。【解決手段】レンズ鏡筒４は、鏡筒本体４ａ、第１〜第４レンズ群Ｇ１〜Ｇ４、第２〜第４レンズ群Ｇ２〜Ｇ４をそれぞれ保持する各レンズホルダ４２〜４４、アイリスユニット４６、イメージセンサ２０等から構成されている。レンズ鏡筒４の外周のうち、背部には撮影ボタン２２、ズーム操作ボタン２４が配置されている。撮影ボタン２２は、第１〜第４レンズ群Ｇ１〜Ｇ４の主点Ｐを含みかつ光軸Ｌと垂直な垂直線に沿って変位する。レンズ鏡筒４は、ユーザの親指がレンズ鏡筒４の腹部に配置され、人差し指、中指、薬指、小指がレンズ鏡筒４の背中部に配置されて把持され、これによってレンズ鏡筒４をしっかり把持しながら撮影ボタン２２を押すことができ、撮影ボタン２２の押圧時、撮影光学系の光軸Ｌの傾きを低減することができる。【選択図】図３
2007279485.tif 000002
【特許請求の範囲】
【請求項１】
撮影レンズと、この撮影レンズからの被写体光を画像信号に変換するイメージセンサとを備え、鏡筒本体の外周が片手で握られて把持されるレンズ鏡筒において、
前記画像信号から形成された画像データを記録媒体に記録するときに押圧操作される撮影ボタンを、前記撮影レンズの光軸の上方に位置する前記鏡筒本体の外周に設けたことを特徴とするレンズ鏡筒。
【請求項２】
前記撮影ボタンを、前記光軸と垂直であって前記撮影レンズの主点を通る垂線の近傍に設けたことを特徴とする請求項１記載のレンズ鏡筒。
【請求項３】
前記撮影ボタンの被写体側もしくは像面側にズームボタンを設けたことを特徴とする請求項１または２記載のレンズ鏡筒。
【請求項４】
請求項１ないし３いずれか１つ記載のレンズ鏡筒と、前面に前記レンズ鏡筒を着脱自在に装着するとともに背面に前記イメージセンサからの画像信号をもとに形成された被写体画像を表示する画像表示部を備えたカメラボディとからなることを特徴とするデジタルカメラ。
【発明の詳細な説明】
【技術分野】
【０００１】
本発明はレンズの像面側にイメージセンサを有するレンズ鏡筒及びこのレンズ鏡筒をマウントするデジタルカメラに関するものである。
【背景技術】
【０００２】
デジタルカメラは、銀塩カメラのようにフイルムを収納するスペースやフイルム給装機構等が必要ないため、カメラボディの小型化が可能である。また、近年では、レンズ鏡筒を交換式にし、この鏡筒内にイメージセンサを組み込んだもの（特許文献１、２参照）もあり、このタイプのデジタルカメラでは、更にカメラボディが小型化されている。
【０００３】
しかし、従来のデジタルカメラは、カメラボディを把持して撮影する形態のものがほとんどであるため、レンズ鏡筒とのバランスからカメラボディを極端に小型化することはできない。特に、レンズ交換式のカメラの場合、レンズ鏡筒のサイズは大きなものが多く、カメラボディが小さくなると操作性やホールディング性の確保が困難となる。これを解決するために、レンズ鏡筒を把持できるようにし、かつ把持したレンズ鏡筒で撮影操作やズーム操作等を行えるようにしたカメラ（特許文献３、４参照）が発明されている。
【特許文献１】特開平９−１０２８９７号公報
【特許文献２】特開平８−１７２５６１号公報
【特許文献３】特開２００３−２１５６８９号公報
【特許文献４】特開２０００―１２１９２３号公報
【発明の開示】
【発明が解決しようとする課題】
【０００４】
しかしながら、特許文献３のカメラは、大型のビデオカメラのレンズ鏡筒に、外側に張り出すように操作部を設け、これに親指で操作する撮影ボタンが設けられているため、携帯性に優れた小型のデジタルスチルカメラには適用することができない。また、特許文献４記載のデジタルカメラには、撮影ボタンは設けられていない。
【０００５】
本発明は上記の事情に鑑みてなされたものであり、その目的は、被写体を定めて撮影ボタンを押すまでの撮影動作を片手で行えるレンズ鏡筒を提供することにある。
【課題を解決するための手段】
【０００６】
上記の目的を達成するために、本発明のレンズ鏡筒では、撮影レンズと、この撮影レンズからの被写体光を画像信号に変換するイメージセンサとを備え、鏡筒本体の外周が片手で握られて把持されるレンズ鏡筒において、画像信号から形成された画像データを記録媒体に記録するときに押圧操作される撮影ボタンを、撮影レンズの光軸の上方であって鏡筒本体の外周に設けたことを特徴とする。
【０００７】
また、撮影ボタンを、撮影レンズの主点を通りかつ撮影レンズの光軸と垂直な垂線の近傍に設けたことを特徴とする。
【０００８】
また、撮影ボタンの被写体側もしくは像面側にズームボタンを設けたことを特徴とする。
【０００９】
また、本発明のデジタルカメラでは、上述のレンズ鏡筒と、前面にレンズ鏡筒を着脱自在に装着するとともに背面に前記イメージセンサからの画像信号をもとに形成された被写体画像を表示する画像表示部を備えたカメラボディとからなることを特徴とする。なお、画像表示部としては、液晶パネルや、ユーザが顔を近づけて覗き込む液晶ファインダ等が好ましい。
【発明の効果】
【００１０】
本発明のレンズ鏡筒によれば、撮影レンズと、この撮影レンズからの被写体光を画像信号に変換するイメージセンサとを備え、鏡筒本体の外周が片手で握られて把持されるレンズ鏡筒において、画像信号から形成された画像データを記録媒体に記録するときに押圧操作される撮影ボタンを、撮影レンズの光軸の上方であって鏡筒本体の外周に設けたことにより、右手あるいは左手で鏡筒本体を把持しながらいずれかの指で撮影ボタンを操作することができるため、被写体を定めて撮影ボタンを押すまでの撮影動作を片手で実行することができる。
【００１１】
また、撮影ボタンを、撮影レンズの主点を通りかつ撮影レンズの光軸と垂直な垂線の近傍に設けたことにより、ユーザの指による押圧操作を受けて撮影ボタンは光軸と垂直であって撮影レンズの主点を通る垂線付近で押圧操作されるため、撮影ボタンの操作時に撮影レンズの光軸が傾くことを低減することができる。
【００１２】
また、撮影ボタンの被写体側もしくは像面側にズームボタンを設けたことにより、レンズ鏡筒の利便性を高めることができる。
【００１３】
また、本発明のデジタルカメラでは、レンズ鏡筒と、前面にレンズ鏡筒を着脱自在に装着するとともに背面に前記イメージセンサからの画像信号をもとに形成された被写体画像を表示する画像表示部を備えたカメラボディとからなることにより、片手でレンズ鏡筒を保持し、被写体を画像表示部で確認して撮影ボタンを押すことが可能となり、利便性の高いデジタルカメラを提供することができる。
【発明を実施するための最良の形態】
【００１４】
本発明のレンズ鏡筒を備えたデジタルカメラを図１に示す。デジタルカメラ２はカメラボディ３とレンズ鏡筒４とから構成されている。カメラボディ４の上部には、静止画撮影モード、再生モードなどのデジタルカメラ２のモードを変更するために回動操作されるモードダイヤル１３、前方にストロボ光もしくはＡＦ補助光を照射する発光部７等が設けられている。カメラボディ３の前面には、レンズ鏡筒４に形成された鏡筒側マウント部１５を嵌め込むためのカメラボディ側マウント部９が形成されている。カメラボディ側マウント部９の近くにはレンズ鏡筒４をカメラボディ３から取り外す際に押圧操作されるマウント解除ボタン１４が設けられており、マウント解除ボタン１４を押すことでレンズ鏡筒４をカメラボディ側マウント部９から分離させることが可能となる。なお、図示しないが、デジタルカメラ２の側部には、ＵＳＢポート、ＩＥＥＥ１３９４ポート、ビデオ端子等が備えられている。
【００１５】
レンズ鏡筒４は、鏡筒本体４ａ、複数のレンズ群、ＣＣＤイメージセンサ２０等からなる。鏡筒本体４ａは略円柱形状に形成され、その一端からは第１レンズ群Ｇ１が露呈し、その内部にはＣＣＤイメージセンサ２０等が組み込まれ、レンズ鏡筒４の他端にはボディ側マウント部９と組み合わされる鏡筒側マウント部１５が形成されている。鏡筒本体４ａの外周には、画像データの記録を開始させるときに押される撮影ボタン２２、望遠状態もしくは広角状態に移行させるときに操作されるズームボタン２４が設けられており、ズームボタン２４は撮影ボタン２２の被写体側に位置している。レンズ鏡筒４は、例えば右手で把持できるようになっており、親指が外周の一方の周方向に沿って掛けられ、人差し指、中指、薬指、小指が外周の他方の周方向に沿って掛けられてレンズ鏡筒４が把持される。レンズ鏡筒４はユーザの右手で把持された状態で、撮影ボタン２２、及びズームボタン２４は、人差し指や中指などで押圧操作される。なお、レンズ鏡筒４は右手に限らず、左手で把持することもできる。
【００１６】
鏡筒側マウント部１５には、例えば３個のバヨネット爪が形成され、カメラボディ側マウント部９にはレンズ側のバヨネット爪に対応したバヨネット係合爪が形成されている。鏡筒側マウント部１５には複数の接点（図示省略）が設けられ、カメラボディ側マウント部９には接続端子に接触する図示しない端子が設けられている。これら接点及び端子は後述するシリアルＩ／Ｆとともに有線通信を可能にしており、レンズ鏡筒４がカメラボディ３に装着されたときに互いに接触してレンズ鏡筒４とカメラボディ３とが電気的に接続された状態となる。レンズ鏡筒４がカメラボディ３に装着された状態では、撮影ボタン２２はレンズ鏡筒４の上端に位置している。
【００１７】
図２に示すように、カメラボディ３の背面には、被写体のスルー画像やメニュー画像を表示する後述する液晶パネル（画像表示部）２６、液晶パネル２６のＯＮ／ＯＦＦを切り替えるための表示ボタン３１や、メニュー画面の表示や確認時に押される実行ボタン３２等が備えられている。モードダイヤル１３が静止画撮影モードに合わせられたときには、液晶パネル２６に被写体画像が一定期間ごとに更新されるスルー画像が表示される。
【００１８】
図３に示すように、レンズ鏡筒４には、鏡筒本体４ａ、撮影ボタン２２、ズームボタン２４、第１〜第４レンズ群Ｇ１〜Ｇ４、第２〜第４レンズ群Ｇ２〜Ｇ４をそれぞれ保持する各レンズホルダ４２〜４４、アイリスユニット４６等が備えられている。第１レンズ群Ｇ１は鏡筒本体４ａに固定されている。第１レンズ群Ｇ１の像面側には第２レンズ群Ｇ２が配置され、第２レンズ群Ｇ２は光軸方向に移動自在なようにレンズホルダ４２によって保持されている。第２レンズ群Ｇ２の像面側には第３レンズ群Ｇ３が配置され、第３レンズ群G３はレンズホルダ４３によって固定されている。第３レンズ群Ｇ３の像面側には第４レンズ群Ｇ４が配置され、第４レンズ群Ｇ４はレンズホルダ４４によって光軸方向に移動自在に保持されている。第４レンズ群Ｇ４の像面側にはＣＣＤイメージセンサ２０が備えられ、ＣＣＤイメージセンサ２０は第１基板上４７に設けられている。第２、第４レンズ群Ｇ２，Ｇ４を保持するレンズホルダ４２、４４はガイドロッド３３、３４が回転することによって光軸方向に移動し、ガイドロッド３３、３４はステッピングモータによって回転される。
【００１９】
第２レンズ群Ｇ２は、いわゆるズームレンズであり、第４レンズ群Ｇ４は、いわゆるフォーカシングレンズである。第２基板４８上には、ズームボタン２４のテレ操作部の押圧に対応する第１スイッチ３７、ズームボタン２４のワイド操作部の押圧に対応する第２スイッチ３９、及び撮影ボタン２２の押圧に応答する第３スイッチ４１が設けられ、第２基板４８及び第１〜第３スイッチ３７、３９、４１は基板カバー３５によって覆われている。図示は省略するが、基板カバー３５には撮影ボタン２２用の開口及びズームボタン２４用の開口が形成され、これらの開口から撮影ボタン２２、ズームボタン２４が露呈する。撮影ボタン２２及びズームボタン２４は光軸Ｌの上方に配置されている。撮影ボタン２２は、鏡筒本体４ａから突出した突出位置と鏡筒本体４ａ内に向かって沈降した沈降位置との間で移動自在に設けられ、第１〜第４レンズ群Ｇ１〜Ｇ４の主点Ｐを通りかつ光軸Ｌと垂直な垂線Ｖに沿って移動する。このため撮影ボタン２２が押されたときに、光軸Ｌが傾いてしまうことが抑えられ、所望の被写体を撮影することが可能となる。
【００２０】
図４に示すように、レンズ鏡筒４には、ＣＣＤイメージセンサ２０、アナログ信号処理回路８５、タイミングジェネレータ（ＴＧと省略する）８７、ＳＤＲＡＭ８９、デジタル処理回路９１、シリアルインターフェース（以降、シリアルＩ／Ｆという）９３、ＲＯＭ９５、無線通信インターフェース（以降、無線通信Ｉ／Ｆという）９７、ＡＥ／ＡＦ演算回路９９、入力インターフェース１０２等が設けられている。
【００２１】
第１〜第４レンズ群Ｇ１〜Ｇ４からの被写体光を光電変換によって電気的な画素信号に変換するＣＣＤイメージセンサ２０は、ＴＧ８７から供給される駆動パルスによって駆動が制御されている。アナログ信号処理回路８５には、相関二重サンプリング回路、増幅8回路、Ａ／Ｄ変換回路等が含まれている。相関二重サンプリング回路で画素信号はＣＣＤイメージセンサ２０のセルごとのＲＧＢアナログ信号に変換され、ＲＧＢアナログ信号は増幅回路で増幅される。ＲＧＢアナログ信号はＡ／Ｄ変換回路でデジタル化されて１画素当たり１２ビットのＲＡＷデータが形成される。形成されたＲＡＷデータはＳＤＲＡＭ８９に一時的に格納される。
【００２２】
デジタル処理回路９１では、ＳＤＲＡＭ８９から読み出された１画面分のＲＡＷデータが圧縮処理されて１画素当たり８ビットの輝度色差データ（以降、ＹＣデータという）が形成される。形成されたＹＣデータはＳＤＡＲＭ８９に一時的に記憶される。
【００２３】
シリアルＩ／Ｆ９３はレンズ鏡筒４がカメラボディ３にマウントされているときに、接点を介して行われるデータ通信を制御する。また、無線通信Ｉ／Ｆ９７は、カメラボディ３からの接続リクエスト信号を受けて、カメラボディ３との間で接続ネゴシエーションを行い、カメラボディ３との間に無線通信回線を確立する。ＳＤＲＡＭ２４に格納されたＹＣデータはシリアルＩ／Ｆ９３もしくは無線通信Ｉ／Ｆ９７を介してカメラボディ３側に送信される。
【００２４】
ＡＥ／ＡＦ演算回路９９は、被写体の輝度を判定し、判定に基づいて絞り値などを決定する。被写体の輝度の判定には、ＣＣＤイメージセンサ２０からの画素信号が用いられる。レンズフード１７の装着時には調光センサ９２からの輝度信号が優先的に利用される。
【００２５】
ＲＯＭ９５は、例えば、不揮発性のメモリであるＥＥＰＲＯＭ（Electrically Erasable Programmable ROM）で構成され、レンズ鏡筒４の型式を示す形式データ、レンズ鏡筒４のシリアルナンバーを示すシリアルナンバーデータ、各種プログラム等が記憶されている。
【００２６】
入力インターフェース１０２は、第１〜第３スイッチ３７、３９、４１に接続され、各スイッチ３７、３９、４１が押圧されたときにオン信号をカメラボディ３に伝送する。第１、第２、第３スイッチ３７、３９、４１が押圧されたとき、これに応答して第１、第２、第３オン信号がシリアルインターフェース９３もしくは無線通信インターフェース９７を介してカメラボディ３側に伝送される。
【００２７】
カメラボディ３には、ストロボ制御回路５３、表示制御回路５４、ＣＰＵ５８、ＲＯＭ６１、ＳＤＲＡＭ６２、メディアコントローラ６４、デジタル処理回路６７、圧縮処理回路６８、通信制御回路７３、無線通信Ｉ／Ｆ７４、シリアルＩ／Ｆ７６、マウント検知回路７７、バッテリ制御回路８０、バッテリ８２等が備えられている。
【００２８】
ＲＯＭ６１は、例えば不揮発性のフラッシュメモリで構成され、カメラボディ３を制御するための各種プログラムを格納しており、ＣＰＵ５８は適宜ＲＯＭ６１から適当なプログラムを読み出して実行する。なお、ＣＰＵ５８はその他にも記録メディア６５に画像データを書き込むメディアコントローラ６４の制御、液晶パネル２６の駆動を制御する表示制御回路５４の管制等も行っている。
【００２９】
ストロボ制御回路５３は発光部７の駆動を制御している。マウント検知回路７７によってレンズ鏡筒４がカメラボディ３から分離していることが検知されたときや、レンズ鏡筒４のフラッシュ装置９４が優先状態に設定されているときには、ストロボ制御回路５３は発光部７の駆動を禁止する。なお、発光部７の駆動が禁止されると、液晶パネル５５に発光禁止状態であることを示すマークが表示されてユーザに告知される。
【００３０】
表示制御回路５４は、液晶パネル２６に画像を表示する。例えば、モードダイヤル１３が撮影モードにセットされているときには、被写体画像が所定のフレームレートで間欠的に更新されるスルー画像を液晶パネル２６に表示させる。
【００３１】
ＣＰＵ５８は、レンズ鏡筒４のＲＯＭ９５にアクセスしてデータを読み出し、読み出されたデータをＳＤＲＡＭ６２に一時的に記憶させる。例えば、レンズ鏡筒４がカメラボディ３に装着されると、ＣＰＵ５８はＲＯＭ９５から、レンズ鏡筒４の型式、シリアルナンバーデータを読み出す。ＲＯＭ９５から読み出されたデータはカメラボディ３のＳＤＲＡＭ６２に書き込まれ、レンズ鏡筒４の形式、シリアルナンバー等が登録され、これによって複数のレンズ鏡筒４を使い分けることが可能となる。
【００３２】
マウント検知回路７７は、レンズ鏡筒４のサブバッテリの電圧を検出し、電圧が検知されたときにはレンズ鏡筒４がカメラボディ３に装着されていると判定し、電圧が検知されないときにはレンズ鏡筒がカメラボディ３から分離していると判定する。
【００３３】
無線通信Ｉ／Ｆ７４は、レンズ鏡筒４側の無線通信Ｉ／Ｆ９７と接続ネゴシエーションを行って無線通信回線を確立する。これにより、レンズ鏡筒４からのＹＣデータ信号の受信が可能となるほか、レンズ鏡筒４に向けて各種コマンド信号を無線送信できるようになる。
【００３４】
通信制御回路７３は、マウント検知回路７７からのマウント検知信号に応じてシリアルＩ／Ｆ７６をオンし、無線通信Ｉ／Ｆ７４をオフする。また、マウント検知回路７７によってレンズ鏡筒４のマウントが検知されないときは、シリアルＩ／Ｆ７６をオフし、無線通信Ｉ／Ｆ７４をオンする。通信制御回路７３によって無線通信Ｉ／Ｆ７４がオンされると、無線通信Ｉ／Ｆ７４からレンズ鏡筒４に接続リクエスト信号が送信され、無線通信回線が確立される。無線通信回線の確立後、無線通信を介してレンズ鏡筒４からカメラボディ３にデータが送信される。
【００３５】
ＣＰＵ５８は、レンズ鏡筒４側から送信される第１〜第３オン信号を受けて、各種コマンド信号を各部に伝送する。例えば、ＣＰＵ５８は、レンズ鏡筒４からの第１オン信号を受けて第２レンズ群Ｇ２を望遠側に移動させる望遠コマンド信号をレンズ鏡筒４に送信する。また、第２オン信号を受けて第２レンズ群Ｇ２を広角側に移行させる広角コマンド信号をレンズ鏡筒４に送信する。さらにレンズ鏡筒４側から第３オン信号を受信したときは、記録メディア６５への画像データの記録を命令する書き込みコマンド信号をメディアコントローラ６４に伝送する。
【００３６】
メディアコントローラ６４は、図示しないカードスロットに差し込まれた記録メディア６５にアクセスして、画像データの書き込み及び読み出しを制御する。メディアコントローラ６４は、ＣＰＵ５８からの書き込みコマンド信号を受けて、画像データを記録メディア６５に書き込む。モードダイヤル１３が再生モードに合わせられているとき、ＣＰＵ５８からの読み出しコマンド信号を受けて、画像データを記録メディア６５から読み出す。
【００３７】
本発明の作用について図５を用いて説明する。被写体を撮影するとき、例えば、デジタルカメラ２のレンズ鏡筒４がユーザの右手に把持され、カメラボディ３がユーザの左手に把持される。右手の親指はレンズ鏡筒４の腹部にあてられ、残りの指はレンズ鏡筒４の背部にあてられる。撮影ボタン２２やズームボタン２４は、例えば人差し指や中指などで押圧操作される。
【００３８】
デジタルカメラ２の電源がオンされ、モードダイヤル１３が撮影モードに合わせられると、ＣＣＤイメージセンサ２０が駆動を開始し、被写体画像が間欠的に更新されるスルー画像が液晶パネル２６に表示される。撮例ボタン２２は第１〜第４レンズ群Ｇ１〜Ｇ４の主面上に配置されており、これにより撮影ボタン２２が押下されたとき、第１〜第４レンズ群Ｇ１〜Ｇ４の光軸が傾斜することを防止できる。これにより、ボタン押下時に所望の被写体からずれてしまうことを低減することができる。
【００３９】
撮影ボタン２２が押されると、第３オン信号が入力インターフェース１０２を介してレンズ鏡筒４からカメラボディ３に送信される。第３オン信号の受信に応答してＣＰＵ５８は書き込みコマンド信号をメディアコントローラ６４に伝送する。メディアコントローラ６４は書き込みコマンド信号を受けて画像データを記録メディア６５に書き込む。なお、上記ではレンズ鏡筒は右手で把持されたが、左手で把持して撮影ボタンを操作することもできる。
【００４０】
なお、上記の実施形態では、主に被写体の静止画を取得するデジタルカメラ２を例示したが、本発明はこれに限らず、例えば、被写体の動画像を取得するビデオカメラに適用してもよい。
【００４１】
また、上記の実施形態では、レンズ鏡筒４をカメラボディ３に装着したとき、撮影ボタン２２がレンズ鏡筒４の上端に位置したが、レンズ鏡筒４がカメラボディ３に装着されたときの撮影ボタンの位置はこれに限らない。例えば、レンズ鏡筒をカメラボディに装着したとき、撮影ボタンがレンズ鏡筒の上端の右側もしくは左側に位置するようにしてもよい。
【００４２】
また、上記の実施形態では、レンズ鏡筒４をカメラボディ３に装着して使用した例を示したが、レンズ鏡筒はカメラボディから取り外して使用してもよい。例えば、レンズ鏡筒が片手で把持されているとき、レンズ鏡筒からカメラボディへ無線通信回線を介して画像データが送信される。人差し指や中指などによって撮影ボタンが押されると、操作信号がカメラボディ側に送信され、操作信号を受信したカメラボディは記録メディアに画像データを記録する。このようにレンズ鏡筒を片手で把持して撮影を行うことで、より簡便な撮影が可能となる。
【００４３】
また、上記の実施形態では、撮影ボタンは、撮影レンズの光軸と垂直であって撮影レンズの主点を通る垂線Ｖ上に配置されたが、撮影ボタンの位置はこれに限らない。例えば、図６に示すように、主点Ｐを通る垂線Ｖからレンズ鏡筒１１０の周囲方向にそれぞれ３０度の範囲内に撮影ボタン１１２を設けてもよい。また、撮影ボタン１１２は垂線Ｖ上に限らず、垂線Ｖの像面側あるいは被写体側に配置してもよい。
【図面の簡単な説明】
【００４４】
【図１】本発明のレンズ鏡筒をマウントするデジタルカメラの外観斜視図である。
【図２】デジタルカメラを背面から観察した外観斜視図である。
【図３】レンズ鏡筒を光軸に沿って縦に切断した断面図である。
【図４】レンズ鏡筒及びカメラボディの電気的な構成を概略的に示したブロック図である。
【図５】左手でカメラボディを把持し、右手でレンズ鏡筒を把持した状態を示す説明図である。
【図６】光軸と垂直であって撮影レンズの主点を通る垂線の近傍に撮影ボタンを配置したレンズ鏡筒を正面から観察した正面図である。
【符号の説明】
【００４５】
２  デジタルカメラ
３  カメラボディ
４  レンズ鏡筒
４ａ  鏡筒本体
１２  カメラボディ側マウント部
１５  鏡筒側マウント部
２０  ＣＣＤイメージセンサ
２２  撮影ボタン
２４  ズームボタン
２６  液晶パネル（画像表示部）
３５  基板カバー
４７  第１基板
４８  第２基板
【図１】
2007279485.tif 000003
【図２】
2007279485.tif 000004
【図３】
2007279485.tif 000005
【図４】
2007279485.tif 000006
【図５】
2007279485.tif 000007
【図６】
2007279485.tif 000008